(57)【要約】【課題】より簡単に、自然な色合いで光沢が表現される画像を形成する。【解決手段】色変化画像生成部１３３は、１つの入力画像から複数の色変化画像を生成する。光沢画像生成部１３４は、複数の色変化画像を、レンチキュラーレンズが備える複数のレンズが配置される方向に並び替えて、複数の色変化画像から出力画像を生成する。一方のヘッドは、出力画像を被記録媒体に記録する。他方のヘッドは、出力画像が記録された被記録媒体にレンチキュラーレンズを形成する。色変化画像は、表示体に対する視点の角度に応じて、入力画像の色を異ならせた画像であり、表示体は、視点の角度に応じて、レンズを介して表示される色変化画像が異なる。本発明はプリンターに適用できる。【選択図】図６
2013134410.tif 000002
【特許請求の範囲】
【請求項１】
１つの入力画像から複数の色変化画像を生成する第１の画像生成手段と、
複数の前記色変化画像を、レンチキュラーレンズが備える複数のレンズが配置される方向に並び替えて、複数の前記色変化画像から出力画像を生成する第２の画像生成手段と、
前記出力画像を被記録媒体に記録する記録手段と、
前記出力画像が記録された被記録媒体にレンチキュラーレンズを形成する形成手段と
を有し、
前記色変化画像は、前記表示体に対する視点の角度に応じて、前記入力画像の色を異ならせた画像であり、
前記表示体は、前記視点の角度に応じて、前記レンズを介して表示される前記色変化画像が異なる、ことを特徴とする画像形成装置。
【請求項２】
請求項１に記載の画像形成装置において、
前記形成手段は、前記レンチキュラーレンズを形成するために樹脂を前記被記録媒体に吐出する、
ことを特徴とする画像形成装置。
【請求項３】
請求項１または請求項２に記載の画像形成装置において、
指示された視点数を取得する取得手段をさらに有し、
複数の前記色変化画像は、前記視点数に応じて前記入力画像の色を異ならせた画像である
ことを特徴とする画像形成装置。
【請求項４】
請求項１から請求項３のいずれか１項に記載の画像形成装置において、
前記入力画像の領域のうち、光沢を表現する領域である光沢領域を選択する選択手段をさらに有し、
前記第１の画像生成手段は、前記光沢領域の画像である光沢領域原画像から複数の前記色変化画像を生成する
ことを特徴とする画像形成装置。
【請求項５】
請求項４に記載の画像形成装置において、
前記形成手段は、前記被記録媒体の領域のうち、前記出力画像が記録される領域に前記レンチキュラーレンズを形成し、残りの領域に平面状の樹脂層を形成することを特徴とする画像形成装置。
【請求項６】
請求項４に記載の画像形成装置において、
前記形成手段は、前記被記録媒体の領域のうち、前記出力画像が記録される領域および前記出力画像が記録されない領域に、前記レンチキュラーレンズを形成することを特徴とする画像形成装置。
【請求項７】
１つの入力画像から複数の色変化画像を生成する第１の画像生成ステップと、
複数の前記色変化画像を、レンチキュラーレンズが備える複数のレンズが配置される方向に並び替えて、複数の前記色変化画像から出力画像を生成する第２の画像生成ステップと、
前記出力画像を被記録媒体に記録する記録ステップと、
前記出力画像が記録された被記録媒体にレンチキュラーレンズを形成する形成ステップと
を含み、
前記色変化画像は、前記表示体に対する視点の角度に応じて、前記入力画像の色を異ならせた画像であり、
前記表示体は、前記視点の角度に応じて、前記レンズを介して表示される前記色変化画像が異なることを特徴とする画像形成方法。
【請求項８】
１つの入力画像から複数の色変化画像を生成する第１の機能と、
複数の前記色変化画像を、レンチキュラーレンズが備える複数のレンズが配置される方向に並び替えて、複数の前記色変化画像から出力画像を生成する第２の機能と、
前記出力画像を被記録媒体に記録する機能と、
前記出力画像が記録された被記録媒体にレンチキュラーレンズを形成する機能と
をコンピュータに実現させ、
前記色変化画像は、前記表示体に対する視点の角度に応じて、前記入力画像の色を異ならせた画像であり、
前記表示体は、前記視点の角度に応じて、前記レンズを介して表示される前記色変化画像が異なる、プログラム。
【発明の詳細な説明】
【技術分野】
【０００１】
本発明は画像形成装置および画像形成方法に関する。
【背景技術】
【０００２】
従来、プリンターで色をつけて光沢を出す場合、メタリックインク（金属顔料インク）を印刷した上にカラーインクが印刷される。
【０００３】
また、平板状粒子からなる金属顔料の表面を、炭素原子間に不飽和二重結合を有する基を有するアルコキシシラン化合物で処理してなる表面処理顔料、インク組成物、及び該インク組成物を用いたインクジェット記録方法も提案されている（例えば、特許文献１参照）。
【先行技術文献】
【特許文献】
【０００４】
【特許文献１】特開２０１０−２６５４２２号公報
【発明の概要】
【発明が解決しようとする課題】
【０００５】
しかしながら、光沢を表現するためにメタリックインクを用いる場合に、メタリックインクには色がついているので、カラーインクだけで印刷した場合に比較し、彩度が低下してしまう。そのため、部分的に光沢を出そうとすると、メタリックインクの上にカラーインクで印刷した色とカラーインクだけで印刷した色の彩度に差が生じてしまう。
【０００６】
また、メタリックインクの取扱は、通常のカラーインクの取扱に比較して難しく、インクタンクを振ったり、クリーニングが必要になるなど管理に工数が必要になる。
【０００７】
そこで、本発明は、上記課題を解決すること、すなわち、より簡単に、自然な色合いで光沢が表現される画像を形成できる画像形成装置および画像形成方法を提供することを目的とする。
【課題を解決するための手段】
【０００８】
上記課題を解決するために、本発明の画像形成装置の一側面は、１つの入力画像から複数の色変化画像を生成する第１の画像生成手段と、複数の色変化画像を、レンチキュラーレンズが備える複数のレンズが配置される方向に並び替えて、複数の色変化画像から出力画像を生成する第２の画像生成手段と、出力画像を被記録媒体に記録する記録手段と、出力画像が記録された被記録媒体にレンチキュラーレンズを形成する形成手段とを有し、色変化画像は、表示体に対する視点の角度に応じて、入力画像の色を異ならせた画像であり、表示体は、視点の角度に応じて、レンズを介して表示される色変化画像が異なる、ものとされている。
【０００９】
より簡単に、自然な色合いで光沢を表現できる表示画像（以下では、光沢画像という場合もある）を生成できる。メタリックインクに起因して彩度が低下してしまうことがなく、自然な色合いで光沢が表現できる。金属表面のような光沢が表現できる。また、インクの取り扱いの手間が増えることがなく、画像を見る位置や距離も自由で、簡単に光沢を表現できる。メタリックインクに起因する光沢画像と非光沢画像との彩度の違いを小さくすることができる。
【００１０】
また、本発明の画像形成装置の一側面は、上述の構成に加えて、形成手段は、レンチキュラーレンズを形成するために樹脂を被記録媒体に吐出する、ものとされている。
【００１１】
別途、レンチキュラーレンズを用意する必要がなく、簡単に画像を形成することができる。
【００１２】
さらに、本発明の画像形成装置の一側面は、上述の構成に加えて、指示された視点数を取得する取得手段をさらに有し、複数の色変化画像は、視点数に応じて入力画像の色を異ならせた画像とされている。
【００１３】
視点数を指示するだけで、指示された視点数の色変化画像が生成され、これに適したレンチキュラーレンズが形成されるので、簡単に所望の視点数の画像を形成することができる。
【００１４】
また、本発明の画像形成装置の一側面は、上述の構成に加えて、入力画像の領域のうち、光沢を表現する領域である光沢領域を選択する選択手段をさらに有し、第１の画像生成手段は、光沢領域の画像である光沢領域原画像から複数の色変化画像を生成するものとされている。
【００１５】
入力画像（以下では、原画像という場合もある）の領域のうち、一部の領域が光沢領域であっても、光沢領域を指示する必要がなく、より簡単に、自然な色合いで光沢を表現する画像が形成できる。
【００１６】
さらに、本発明の画像形成装置の一側面は、上述の構成に加えて、形成手段は、被記録媒体の領域のうち、出力画像が記録される領域にレンチキュラーレンズを形成し、残りの領域に平面状の樹脂層を形成するものとされている。
【００１７】
入力画像の領域のうち、一部の領域が光沢領域であっても、光沢領域を指示する必要がなく、より簡単に、自然な色合いで光沢を表現する画像が形成できる。厚みがほぼ均一な被記録媒体を得ることができる。
【００１８】
本発明の画像形成装置の一側面は、上述の構成に加えて、形成手段が、被記録媒体の領域のうち、出力画像が記録される領域および出力画像が記録されない領域に、レンチキュラーレンズを形成するものとされている。
【００１９】
また、本発明の画像形成方法の一側面は、１つの入力画像から複数の色変化画像を生成する第１の画像生成ステップと、複数の色変化画像を、レンチキュラーレンズが備える複数のレンズが配置される方向に並び替えて、複数の色変化画像から出力画像を生成する第２の画像生成ステップと、出力画像を被記録媒体に記録する記録ステップと、出力画像が記録された被記録媒体にレンチキュラーレンズを形成する形成ステップとを含み、色変化画像は、表示体に対する視点の角度に応じて、入力画像の色を異ならせた画像であり、表示体は、視点の角度に応じて、レンズを介して表示される色変化画像が異なるものとされている。
【００２０】
さらに、本発明のプログラムの一側面は、１つの入力画像から複数の色変化画像を生成する第１の機能と、複数の色変化画像を、レンチキュラーレンズが備える複数のレンズが配置される方向に並び替えて、複数の色変化画像から出力画像を生成する第２の機能と、出力画像を被記録媒体に記録する機能と、出力画像が記録された被記録媒体にレンチキュラーレンズを形成する機能とをコンピュータに実現させ、色変化画像は、表示体に対する視点の角度に応じて、入力画像の色を異ならせた画像であり、表示体は、視点の角度に応じて、レンズを介して表示される色変化画像が異なるものとされている。
【発明の効果】
【００２１】
本発明の一側面によれば、より簡単に、自然な色合いで光沢が表現される画像を形成できる画像形成装置および画像形成方法を提供することができる。
【図面の簡単な説明】
【００２２】
【図１】プリンター１の内部の構造を示す構造図である。
【図２】レンチキュラーレンズ３１の形成を説明する図である。
【図３】ヘッド１５によって描画される画像と、ヘッド１６によって形成されるレンチキュラーレンズ３１のレンズ３２との関係を示す図である。
【図４】制御部５１および駆動回路５２の構成を示すブロック図である。
【図５】コンピュータである制御部５１の構成を示すブロック図である。
【図６】制御部５１の機能の構成の例を示すブロック図である。
【図７】画像の形成の処理を説明するフローチャートである。
【図８】光沢画像を生成の例を説明する図である。
【図９】角度／色変化データの例を示す図である。
【図１０】角度／色変化データの他の例を示す図である。
【図１１】角度／色変化データのさらに他の例を示す図である。
【図１２】角度／色変化データのさらに他の例を示す図である。
【図１３】光沢画像に形成されるレンチキュラーレンズ３１の例を示す図である。
【図１４】ヘッド１６により形成されるレンチキュラーレンズ３１の例を示す図である。
【図１５】ヘッド１６により形成されるレンチキュラーレンズ３１の他の例を示す図である。
【図１６】ヘッド１６により形成されるレンチキュラーレンズ３１のさらに他の例を示す図である。
【発明を実施するための形態】
【００２３】
以下、本発明の一実施の形態のプリンター１について、図１〜図１６を参照しながら説明する。
【００２４】
図１は、プリンター１の内部の構造を示す構造図である。プリンター１は、印刷装置、画像処理装置、または画像形成装置の一例である。プリンター１は、ハウジング１１、紙送りローラー１２、紙送りモーター１３、キャリッジ１４、ヘッド１５、ヘッド１６、ガイド部材１７、タイミングベルト１８、駆動プーリー１９、遊転プーリー２０、およびステップモーター２１を備える。
【００２５】
ハウジング１１は、いわゆる筐体であり、紙送りローラー１２、紙送りモーター１３、キャリッジ１４、ヘッド１５、ヘッド１６、ガイド部材１７、タイミングベルト１８、駆動プーリー１９、遊転プーリー２０、およびステップモーター２１を格納し、保持する。紙送りローラー１２は、紙送りモーター１３によって駆動され、被記録媒体の一例である用紙Ｍを搬送する。また、用紙Ｍは、表示体の一例である。
【００２６】
キャリッジ１４は、ハウジング１１の左右に架設したガイド部材１７に移動可能に取り付けられており、走査機構により往復移動される。この走査機構は、ハウジング１１の左右一端部に取り付けられたステップモーター２１と、このステップモーター２１の回転軸に接続された駆動プーリー１９と、ハウジング１１の左右他端部に設けられた遊転プーリー２０と、駆動プーリー１９と遊転プーリー２０との間に掛け渡されると共にキャリッジ１４に接続されたタイミングベルト１８とから構成される。すなわち、この走査機構は、ステップモーター２１を動作させることによりキャリッジ１４を用紙Ｍの幅方向に往復させるように移動させる。
【００２７】
キャリッジ１４には、ヘッド１５およびヘッド１６が設けられている。ヘッド１５は、紙送りローラー１２によって搬送されてきた用紙Ｍにインクを吐出して印刷する。すなわち、ヘッド１５の面のうち、用紙Ｍと対向する面には、インクを吐出するノズル（図示せず）が形成されている。ヘッド１５は、キャリッジ１４によって用紙Ｍの用紙幅で往復運動し、ノズルからインクを吐出することにより、印字または描画を行う。
【００２８】
ヘッド１６は、レンチキュラーレンズ形成用のヘッドであり、ヘッド１６内には図示していないヒーターによって液状となっている熱溶融性樹脂が充填されている。図２に示される矢印Ｎ１は、用紙Ｍの搬送方向を示し、矢印Ｎ２は、用紙Ｍの用紙幅の方向を示す。この場合、用紙Ｍの搬送方向と用紙Ｍの用紙幅とは直交している。
【００２９】
ヘッド１６は、レンチキュラーレンズ３１を形成する熱溶融性樹脂を吐出し、用紙Ｍの表面、すなわちヘッド１５によって描画された画像の上にレンチキュラーレンズ３１を形成する。レンチキュラーレンズ３１は、それぞれ略かまぼこ状であるレンズ３２−１、レンズ３２−２、レンズ３２−３、・・・レンズ３２−Ｌからなる。以下、レンズ３２−１、レンズ３２−２、レンズ３２−３、・・・レンズ３２−Ｌを個々に区別する必要がないとき、単にレンズ３２と称する。
【００３０】
ヘッド１６は、熱溶融性樹脂を複数回にわたり吐出し、用紙Ｍ上で固化させ、これを積層することで、レンチキュラーレンズ３１を形成させる。このレンチキュラーレンズ３１の材料となる熱溶融性樹脂として、透明度が高く、常温で固体である熱可塑性樹脂を用いることができるが、比較的低融点である塩化ビニル樹脂などを使用してもよい。また、この熱溶融性樹脂は用紙Ｍ上に吐着してもしばらくは液状であるため、表面張力によってレンズ３２に適した曲面を形成することができる。なお、該曲面の曲率は熱溶融性樹脂の積層数、および粘度によって左右されるので、レンチキュラーレンズ３１の形成に適するように積層数および粘度などを適宜調整すれば良い。
【００３１】
なお、ヘッド１５およびヘッド１６は、圧電素子または発熱素子等の圧力発生素子によって公知の手法で、画像を描画するカラーインク、またはレンチキュラーレンズ３１を形成する熱溶融性樹脂をそれぞれ吐出することができる。
【００３２】
また、レンズ３２の形成に適した曲面を備えるローラーを設けて、ヘッド１６により用紙Ｍ上に吐出された熱溶融性樹脂を、転がされるローラーによって押圧することにより、レンズ３２を形成するようにしてもよい。さらに、熱溶融性樹脂に限らず、紫外線硬化樹脂や２液硬化樹脂など各種の硬化方式の樹脂を用いることができる。
【００３３】
図３は、ヘッド１５によって描画される画像と、ヘッド１６によって形成されるレンチキュラーレンズ３１のレンズ３２との関係を示す図である。図３において、用紙Ｍの搬送方向Ｎ１は、左右方向であり、用紙Ｍの用紙幅の方向Ｎ２は、前後方向（奥行き方向）である。
【００３４】
図３（Ａ）に示されるように、ヘッド１５は、所望の画像である入力画像の所定の画素に対して生成された画素P1,P2,P3,P4,P5を１列に用紙Ｍに描画する。画素P1,P2,P3,P4,P5は、表現される光沢に応じた変化であって視点の角度に対して変化する色の異なる画素である。
【００３５】
そして、ヘッド１６は、視点の角度の順の１列の画素P1,P2,P3,P4,P5に対して、画素P1,P2,P3,P4,P5の１列に並ぶ方向が厚みの変化する向きになる１つのレンズ３２が配置されるように、用紙Ｍにレンチキュラーレンズ３１を形成する。
【００３６】
このようにすることで、レンチキュラーレンズ３１を通して画素P1,P2,P3,P4,P5が見られる場合、視点の用紙Ｍに対する角度によって、画素P1,P2,P3,P4,P5のうちのいずれか１つの画素が見られることになる。すなわち、用紙幅の方向Ｎ２に一致する軸を回転中心として、用紙Ｍに垂直の視点を視点e3とし、視点e3から最も反時計回りに傾いた視点を視点e1とし、視点e3と視点e1との中間の角度の視点を視点e2とし、視点e3から最も時計回りに傾いた視点を視点e5とし、視点e5と視点e5との中間の角度の視点を視点e4とすることができる。
【００３７】
視点e1からレンチキュラーレンズ３１を通して用紙Ｍを見ると、画素P1,P2,P3,P4,P5のうち画素P1だけが見える。視点e2からレンチキュラーレンズ３１を通して用紙Ｍを見ると、画素P1,P2,P3,P4,P5のうち画素P2だけが見える。同様に、視点e3、視点e4、視点e5のそれぞれからは、それぞれ、画素P3、画素P4、画素P5だけが見える。
【００３８】
ここで、図３（Ｂ）を参照して光沢面での光の反射を説明する。矢印Ａに示される方向から光沢面に光が入射すると、矢印Ｂに示されるように、入射角と同じ反射角の正反射光（鏡面反射光）が生じる。また、矢印Ｃに示されるように、反射角以外の角度では、拡散光が生じる。光沢面では、正反射光が拡散光よりも強くなる。
【００３９】
図３（Ａ）に示される画素P1、画素P2、画素P3、画素P5を暗くし、画素P4を明るくすると、視点e4からは、明るい画素P4が見え、視点e1、視点e2、視点e3、視点e5からは、暗い画素P1、画素P2、画素P3、画素P5が見えることになる。すなわち、図３（Ｂ）に示される場合と同様に、正反射と拡散と同様の視認上の効果を得ることができるようになり、光沢を表現することができる。
【００４０】
見る角度による見え方の変化のさせ方としては、色の並べ方を変化させる方法と、レンチキュラーレンズの貼り付ける位置を変化させる方法によっても対応が可能である。
【００４１】
図４は、プリンター１を制御し駆動する制御部および駆動回路の構成を示すブロック図である。プリンター１には、プリンター１全体を制御する制御部５１並びに紙送りモーター１３、ヘッド１５、ヘッド１６、およびステップモーター２１を駆動する駆動回路５２が設けられている。
【００４２】
制御部５１は、ユーザからの指示などを取得し、取得した指示に応じてプリンター１全体を制御する。この場合、制御部５１は、駆動回路５２に各種の指令を送る。また、制御部５１は、所望の画像である入力画像から、光沢を表現する画像である光沢画像を生成する。光沢画像は、表示画像の一例である。
【００４３】
駆動回路５２は、制御部５１からの指令に応じて、紙送りモーター１３、ヘッド１５、ヘッド１６、およびステップモーター２１に所定の電圧、電流、または信号を供給することにより、紙送りモーター１３、ヘッド１５、ヘッド１６、およびステップモーター２１を駆動させる。
【００４４】
制御部５１は、専用のハードウェアとすることもできるし、ソフトウエアを構成するプログラムを実行するコンピュータとすることもできる。
【００４５】
図５は、ソフトウエアを構成するプログラムを実行するコンピュータである制御部５１の構成を示すブロック図である。
【００４６】
制御部５１において、CPU（Central Processing Unit）１０１，ROM（Read Only Memory）１０２，RAM（Random Access Memory）１０３は、バス１０４により相互に接続されている。
【００４７】
バス１０４には、さらに、入出力インタフェース１０５が接続されている。入出力インタフェース１０５には、キーやボタンなどよりなる入力部１０６、ディスプレイやブザーなどよりなる出力部１０７、不揮発性のメモリなどよりなる記憶部１０８、ネットワークインタフェースなどよりなる通信部１０９、半導体メモリなどのリムーバブルメディア１１１が装着され、装着されたリムーバブルメディア１１１を読み取るリーダー１１０が接続されている。
【００４８】
以上のように構成されるコンピュータでは、CPU１０１が、例えば、記憶部１０８に記憶されているプログラムを、入出力インタフェース１０５及びバス１０４を介して、RAM１０３にロードして実行することにより、一連の処理が行われる。
【００４９】
コンピュータ（CPU１０１）が実行するプログラムは、例えば、半導体メモリなどよりなるパッケージメディアであるリムーバブルメディア１１１に記録して、あるいは、ローカルエリアネットワーク、インターネット、デジタル衛星放送といった、有線または無線の伝送媒体を介して提供される。
【００５０】
そして、プログラムは、リムーバブルメディア１１１をリーダー１１０に装着することにより、入出力インタフェース１０５を介して、記憶部１０８に記憶することで、コンピュータにインストールすることができる。また、プログラムは、有線または無線の伝送媒体を介して、通信部１０９で受信し、記憶部１０８に記憶することで、コンピュータにインストールすることができる。その他、プログラムは、ROM１０２や記憶部１０８にあらかじめ記憶しておくことで、コンピュータにあらかじめインストールしておくことができる。
【００５１】
図６は、制御部５１の機能の構成の例を示すブロック図である。制御部５１は、画像処理部１２１、画像印刷制御部１２２、およびレンチキュラーレンズ形成制御部１２３の機能を備える。なお、制御部５１がプログラムを実行するコンピュータである場合、画像処理部１２１、画像印刷制御部１２２、およびレンチキュラーレンズ形成制御部１２３は、制御部５１がプログラムを実行すると実現される。
【００５２】
画像処理部１２１は、所望の画像である入力画像から、光沢を表現する画像である光沢画像を生成する。光沢画像の詳細は後述する。画像印刷制御部１２２は、駆動回路５２に指令を供給することで、駆動回路５２に紙送りモーター１３、ヘッド１５、およびステップモーター２１を駆動させて、用紙Ｍに光沢画像を描画させる。すなわち、画像処理部１２１は、光沢画像を被記録媒体の一例である用紙Ｍに記録する。
【００５３】
レンチキュラーレンズ形成制御部１２３は、駆動回路５２に指令を供給することで、駆動回路５２に紙送りモーター１３、ヘッド１６、およびステップモーター２１を駆動させて、用紙Ｍにレンチキュラーレンズ３１を形成させる。すなわち、レンチキュラーレンズ形成制御部１２３は、光沢画像が記録された被記録媒体の一例である用紙Ｍにレンチキュラーレンズ３１を形成する。
【００５４】
さらに、画像処理部１２１は、選択部１３１、角度／色変化データ格納部１３２、色変化画像生成部１３３、光沢画像生成部１３４、非光沢画像整形部１３５、および光沢画像配置部１３６からなる。選択部１３１は、１つの所望の画像である入力画像の領域のうち、光沢を表現する領域である光沢領域を選択するか、視点数を選択するか、または表現される光沢に応じた色の変化であって、視点の角度に対する色の変化を示すデータである角度／色変化データを選択する。
【００５５】
角度／色変化データ格納部１３２は、記憶部１０８の記憶領域やデータベースなどに構築され、表現される光沢に応じた色の変化であって、視点の角度に対する色の変化を示すデータである角度／色変化データを格納する。色変化画像生成部１３３は、表現される光沢に応じた変化であって視点の角度に対して変化する色の異なる複数の色変化画像を１つの入力画像から生成する。光沢画像生成部１３４は、色変化画像上の位置が同じ画素であって、複数の色変化画像の画素を、色変化画像上の相対的な位置が維持されるように、視点の角度の順にレンチキュラーレンズ３１の厚みが変化する方向に並び替えることで、光沢画像を生成する。非光沢画像整形部１３５は、入力画像の領域のうち、光沢を表現する領域以外の領域である非光沢領域の画像を整形する。光沢画像配置部１３６は、入力画像の領域のうち、光沢を表現する領域である光沢領域に光沢画像を配置する。
【００５６】
選択部１３１は、領域選択部１４１、視点数解像度選択部１４２、および角度／色変化データ選択部１４３からなる。領域選択部１４１は、入力画像の領域のうち、光沢を表現する領域である光沢領域を選択する。視点数解像度選択部１４２は、視点数または解像度を選択する。例えば、視点数解像度選択部１４２は、キーやボタンなどよりなる入力部１０６がユーザに操作されることによって入力された視点数または解像度を取得することで、視点数または解像度を選択する。また、例えば、視点数解像度選択部１４２は、入力部１０６がユーザに操作されることによって入力されて、記憶部１０８に記憶されている視点数または解像度を記憶部１０８から取得することで、視点数または解像度を選択する。
【００５７】
角度／色変化データ選択部１４３は、キーやボタンなどよりなる入力部１０６がユーザに操作されることによって入力された指示に応じて、角度／色変化データ格納部１３２に予め格納されている角度／色変化データの中から、所定の角度／色変化データを選択する。
【００５８】
次に、図７のフローチャートを参照して、画像の形成の処理を説明する。ステップＳ１１において、画像処理部１２１は、所望の画像である入力画像の一例である印刷する画像に、光沢を出す領域である光沢表示領域があるか否かを判定する。例えば、ステップＳ１１において、画像処理部１２１は、ユーザに操作されたキーやボタンなどよりなる入力部１０６からの信号を取得することで、ユーザの指示を取得し、取得したユーザの指示から印刷する画像に光沢表示領域があるか否かを判定する。また、例えば、ステップＳ１１において、画像処理部１２１は、印刷する画像の明るさの変化を基に光沢表示領域を特定し、その結果に応じて、印刷する画像に光沢表示領域があるか否かを判定する。
【００５９】
ステップＳ１１において、印刷する画像に光沢表示領域があると判定された場合、手続はステップＳ１２に進み、画像処理部１２１の選択部１３１は、印刷する画像から光沢表示領域の画像を選択する。より詳細には、ステップＳ１２において、選択部１３１の領域選択部１４１は、印刷する画像から光沢表示領域の画像を選択する。
【００６０】
ステップＳ１３において、画像処理部１２１の選択部１３１は、視点数と解像度を選択する。より詳細には、ステップＳ１３において、選択部１３１の視点数解像度選択部１４２は、ユーザに操作されたキーやボタンなどよりなる入力部１０６からの信号を取得することで、ユーザの指示を取得し、取得したユーザの指示から視点数と解像度を選択する。すなわち、ステップＳ１３において、明るさの変化量、明るさの変化の仕方など、見る角度によってどのように変化させるかが決められる。視点数は、光沢の変化の滑らかさに関係する。
【００６１】
なお、ユーザから指示されたかまたはデフォルトの視点数と解像度を予め記憶部１０８に記憶しておき、ステップＳ１３において、視点数解像度選択部１４２は、記憶部１０８に記憶されている視点数と解像度を読み出すことにより、視点数と解像度を選択するようにしてもよい。また、解像度と視点数とのうち、どちらを優先させるかを指定するようにしてもよい。
【００６２】
ステップＳ１４において、画像処理部１２１の選択部１３１は、角度に対する色の変化を示す角度／色変化データを選択する。すなわち、ステップＳ１４において、選択部１３１の角度／色変化データ選択部１４３は、角度／色変化データ格納部１３２に格納されている角度／色変化データから所定の角度／色変化データを選択する。ステップＳ１５において、色変化画像生成部１３３は、選択された角度／色変化データを参照して、光沢表示領域の画像から、色を変化させた色変化画像を視点毎に視点数（選択された視点数）だけ生成する。すなわち、ステップＳ１５において、色変化画像生成部１３３は、選択された角度／色変化データを参照して、表現される光沢に応じた変化であって視点の角度に対して変化する色の異なる複数の色変化画像を１つの入力画像から生成する。
【００６３】
ステップＳ１６において、光沢画像生成部１３４は、視点毎の色変化画像の画素を視点の角度の順に並び替えて、光沢を表現する画像である光沢画像を生成する。すなわち、ステップＳ１６において、光沢画像生成部１３４は、色変化画像上の位置が同じ画素であって、複数の色変化画像の画素を、色変化画像上の相対的な位置が維持されるように、視点の角度の順に直線上に並び替えることで、光沢を表現する画像である光沢画像を生成する。言い換えれば、ステップＳ１６において、光沢画像生成部１３４は、色変化画像上の位置が同じ画素であって、複数の色変化画像の画素を、色変化画像上の相対的な位置が維持されるように、視点の角度の順にレンチキュラーレンズ３１の厚みが変化する方向に並び替えることで、光沢を表現する画像である光沢画像を生成する。
【００６４】
ここで、図８を参照して光沢を表現する画像である光沢画像を生成の例を説明する。図８に示される例において、視点数は５である。所望の画像である入力画像Ｇ０から光沢表示領域の画像が選択される。以下、画像における画素の横の並びを行と称し、画像における画素の縦の並びを列と称する。
【００６５】
仮に、光沢表示領域の画像が、画素P11、画素P12、画素P13、画素P21、画素P22、画素P23、画素P31、画素P32、および画素P33からなるものとする。この場合、画素P11、画素P12、および画素P13が最も上の行に並び、画素P21、画素P22、および画素P23が上から２番目の行に並び、画素P31、画素P32、および画素P33が上から３番目の行に並ぶ。画素P11、画素P21、および画素P31が最も左側の列に並び、画素P12、画素P22、および画素P32が左から２番目の列に並び、画素P13、画素P23、および画素P33が左から３番目の列に並ぶ。
【００６６】
例えば、選択された角度／色変化データは、角度に対するＬ値（明るさ）の変化を示す。図８中の実線Ｄで表わされるように、角度に対するＬ値（明るさ）の変化は、正規分布とすることができる。この場合、Ｌ値は、比率で表わすことができる。
【００６７】
視点数が５なので、まず、原点（角度０）に対応する中央値である角度Ａ３が選択され、２つの負の角度である角度Ａ１および角度Ａ２並びに２つの正の角度である角度Ａ４および角度Ａ５が選択される。この場合、例えば、視点数の値に対応づけて、角度Ａ１、角度Ａ２、角度Ａ３、角度Ａ４、および角度Ａ５などの角度（位置）を予め定めておくことができる。また、例えば、視点数の値に対応づけて、角度の範囲を予め定めておき、この角度の範囲を視点数から１だけ減算した値で割り算することにより、角度Ａ１、角度Ａ２、角度Ａ３、角度Ａ４、角度Ａ５のそれぞれの間隔を定めるようにしてもよい。
【００６８】
そして、角度Ａ１、角度Ａ２、角度Ａ３、角度Ａ４、および角度Ａ５におけるＬ値（比率）が求められる。例えば、それぞれ、０．３、０．６、１．３、０．６、０．３である角度Ａ１、角度Ａ２、角度Ａ３、角度Ａ４、および角度Ａ５におけるＬ値（比率）が求められる。
【００６９】
さらに、光沢表示領域の画像をなす、画素P11、画素P12、画素P13、画素P21、画素P22、画素P23、画素P31、画素P32、および画素P33のそれぞれの画素値に、角度Ａ１、角度Ａ２、角度Ａ３、角度Ａ４、および角度Ａ５におけるＬ値（比率）を乗じて、視点毎の色変化画像が求められる。
【００７０】
すなわち、画素P11の画素値に角度Ａ１におけるＬ値（比率）である０．３が乗じられて画素P111の画素値が求められ、画素P12の画素値に角度Ａ１におけるＬ値（比率）である０．３が乗じられて画素P121の画素値が求められ、同様に、画素P13、画素P21、画素P22、画素P23、画素P31、画素P32、および画素P33のそれぞれの画素値に、角度Ａ１におけるＬ値（比率）である０．３が乗じられて、画素P131、画素P211、画素P221、画素P231、画素P311、画素P321、および画素P331のそれぞれの画素値が求められ、角度Ａ１の視点における色変化画像Ｇ１が生成される。なお、画素P111、画素P121、画素P131、画素P211、画素P221、画素P231、画素P311、画素P321、および画素P331のそれぞれは、画素P11、画素P12、画素P13、画素P21、画素P22、画素P23、画素P31、画素P32、および画素P33のそれぞれに対応する位置に配置される。
【００７１】
また、画素P11、画素P12、画素P13、画素P21、画素P22、画素P23、画素P31、画素P32、および画素P33のそれぞれの画素値に、角度Ａ２におけるＬ値（比率）である０．６が乗じられて、画素P112、画素P122、画素P132、画素P212、画素P222、画素P232、画素P312、画素P322、および画素P332のそれぞれの画素値が求められ、角度Ａ２の視点における色変化画像Ｇ２が生成される。なお、画素P112、画素P122、画素P132、画素P212、画素P222、画素P232、画素P312、画素P322、および画素P332のそれぞれは、画素P11、画素P12、画素P13、画素P21、画素P22、画素P23、画素P31、画素P32、および画素P33のそれぞれに対応する位置に配置される。さらに、画素P11、画素P12、画素P13、画素P21、画素P22、画素P23、画素P31、画素P32、および画素P33のそれぞれの画素値に、角度Ａ３におけるＬ値（比率）である１．３が乗じられて、画素P113、画素P123、画素P133、画素P213、画素P223、画素P233、画素P313、画素P323、および画素P333のそれぞれの画素値が求められ、角度Ａ３の視点における色変化画像Ｇ３が生成される。なお、画素P113、画素P123、画素P133、画素P213、画素P223、画素P233、画素P313、画素P323、および画素P333のそれぞれは、画素P11、画素P12、画素P13、画素P21、画素P22、画素P23、画素P31、画素P32、および画素P33のそれぞれに対応する位置に配置される。
【００７２】
同様に、入力画像Ｇ０から光沢表示領域の画像のそれぞれの画素に、角度Ａ４におけるＬ値（比率）である０．６が乗じられて、画素P114、画素P124、画素P134、画素P214、画素P224、画素P234、画素P314、画素P324、および画素P334からなる角度Ａ４の視点における色変化画像Ｇ４が生成される。原画像Ｇ０から光沢表示領域の画像のそれぞれの画素に、角度Ａ５におけるＬ値（比率）である０．３が乗じられて、画素P115、画素P125、画素P135、画素P215、画素P225、画素P235、画素P315、画素P325、および画素P335からなる角度Ａ５の視点における色変化画像Ｇ５が生成される。
【００７３】
次に、視点毎の色変化画像Ｇ１から色変化画像Ｇ５の画素が視点の角度の順に並び替えられて、光沢を表現する画像である光沢画像が生成される。より詳細には、色変化画像Ｇ１から色変化画像Ｇ５上の位置が同じ画素であって、複数の色変化画像Ｇ１から色変化画像Ｇ５の画素が、色変化画像Ｇ１から色変化画像Ｇ５上の相対的な位置が維持されるように、視点の角度の順に直線上に並び替えられて、光沢を表現する画像である光沢画像が生成される。
【００７４】
すなわち、色変化画像Ｇ１から画素P111、画素P211、画素P311からなる最も左の１列の画素が選ばれて、光沢画像の最も左の列に配置され、色変化画像Ｇ２から画素P112、画素P212、画素P312からなる最も左の１列の画素が選ばれて、光沢画像の左から２番目の列に配置され、色変化画像Ｇ３から画素P113、画素P213、画素P313からなる最も左の１列の画素が選ばれて、光沢画像の左から３番目の列に配置され、色変化画像Ｇ４から画素P114、画素P214、画素P314からなる最も左の１列の画素が選ばれて、光沢画像の左から４番目の列に配置され、色変化画像Ｇ５から画素P115、画素P215、画素P315からなる最も左の１列の画素が選ばれて、光沢画像の左から５番目の列に配置される。
【００７５】
次に、色変化画像Ｇ１から画素P121、画素P221、画素P321からなる左から２番目の列の画素が選ばれて、光沢画像の左から６番目の列に配置され、色変化画像Ｇ２から画素P122、画素P222、画素P322からなる左から２番目の列の画素が選ばれて、光沢画像の左から７番目の列に配置され、色変化画像Ｇ３から画素P123、画素P223、画素P323からなる左から２番目の列の画素が選ばれて、光沢画像の左から８番目の列に配置され、色変化画像Ｇ４から画素P124、画素P224、画素P324からなる左から２番目の列の画素が選ばれて、光沢画像の左から９番目の列に配置され、色変化画像Ｇ５から画素P125、画素P225、画素P325からなる左から２番目の列の画素が選ばれて、光沢画像の左から１０番目の列に配置される。
【００７６】
さらに、色変化画像Ｇ１から画素P131、画素P231、画素P331からなる左から３番目の列の画素が選ばれて、光沢画像の左から１１番目の列に配置され、色変化画像Ｇ２から画素P132、画素P232、画素P332からなる左から３番目の列の画素が選ばれて、光沢画像の左から１２番目の列に配置され、色変化画像Ｇ３から画素P133、画素P233、画素P333からなる左から３番目の列の画素が選ばれて、光沢画像の左から１３番目の列に配置され、色変化画像Ｇ４から画素P134、画素P234、画素P334からなる左から３番目の列の画素が選ばれて、光沢画像の左から１４番目の列に配置され、色変化画像Ｇ５から画素P135、画素P235、画素P335からなる左から３番目の列の画素が選ばれて、光沢画像の左から１５番目の列に配置される。
【００７７】
このように、光沢画像の最も上の行には、画素P111、画素P112、画素P113、画素P114、画素P115、画素P121、画素P122、画素P123、画素P124、画素P125、画素P131、画素P132、画素P133、画素P134、および画素P135が左から順に並ぶ。光沢画像の上から２番目の行には、画素P211、画素P212、画素P213、画素P214、画素P215、画素P221、画素P222、画素P223、画素P224、画素P225、画素P231、画素P232、画素P233、画素P234、および画素P235が左から順に並ぶ。光沢画像の上から３番目の行には、画素P311、画素P312、画素P313、画素P314、画素P315、画素P321、画素P322、画素P323、画素P324、画素P325、画素P331、画素P332、画素P333、画素P334、および画素P335が左から順に並ぶ。
【００７８】
このように、視点数を増やすと、視点数の分だけ画素が必要になるので、その分、解像度が劣化してしまう。
【００７９】
なお、例えば、選択される角度／色変化データは、図９に表わされるように、角度に対するＬ値（明るさ）の変化の少ない正規分布とすることができる。Ｌ値の変化が少ない場合、光沢感があまりない光沢画像が得られる。
【００８０】
また、選択される角度／色変化データは、図１０に表わされるように、角度に対するＬ値（明るさ）の変化の大きい正規分布とすることができる。Ｌ値の変化が大きい場合、光沢を大きく感じさせる光沢画像が得られる。また、この場合、真正面から光が当たっているような光沢画像が得られる。
【００８１】
さらに、選択される角度／色変化データは、図１１に表わされるように、λ値の小さいポアソン分布とすることができる。この場合、横から光が当たっているような光沢画像が得られる。
【００８２】
さらにまた、選択される角度／色変化データは、図１２に表わされるように、負の角度および正の角度のそれぞれにおいてピークを設けるなど、２つ以上の複数のピークを示す分布とすることができる。Ｌ値のピークが２つある場合、２方向から光が当たっているような画像を得ることができる。
【００８３】
なお、角度／色変化データは、角度に対するＬ値（明るさ）の変化を示すと説明したが、これに限らず、彩度または色相の変化を示すようにしてもよい。色を変化させた場合には、ホログラムのような見栄えを得ることができる。
【００８４】
ステップＳ１７において、非光沢画像整形部１３５は、印刷する画像の領域のうち、光沢表示領域以外の領域である非光沢表示領域の画像を整形する。ステップＳ１８において、光沢画像配置部１３６は、印刷する画像の領域のうち、光沢表示領域に光沢画像を配置する。ステップＳ１９において、画像印刷制御部１２２は、駆動回路５２に指令を供給することで、駆動回路５２に紙送りモーター１３、ヘッド１５、およびステップモーター２１を駆動させて、光沢画像が配置された画像を用紙Ｍに印刷（描画）させる。すなわち、ステップＳ１９において、画像印刷制御部１２２は、ヘッド１５に、光沢画像を被記録媒体である用紙Ｍに記録させる。
【００８５】
ステップＳ２０において、レンチキュラーレンズ形成制御部１２３は、駆動回路５２に指令を供給することで、駆動回路５２に紙送りモーター１３、ヘッド１６、およびステップモーター２１を駆動させて、用紙Ｍにレンチキュラーレンズ３１を形成させ、画像の形成の処理は終了する。すなわち、ステップＳ２０において、レンチキュラーレンズ形成制御部１２３は、ヘッド１６に、視点の角度の順に直線上に並べられた複数の画素に対して、画素の並ぶ方向が厚みの変化する向きになる１つのレンズ３２が配置されるように、光沢画像が記録された被記録媒体である用紙Ｍにレンチキュラーレンズ３１を形成させる。ヘッド１６は、樹脂を被記録媒体である用紙Ｍに吐出することで、レンチキュラーレンズ３１を形成する。
【００８６】
レンチキュラーレンズ形成制御部１２３は、ヘッド１６に、ユーザの要望にあわせて形状を変化させたレンズ３２からなるレンチキュラーレンズ３１を形成する。例えば、滑らかに色が変化するようにしたい場合には、１つのレンズ３２で多数の画素を見せる形状にレンズ３２が形成される。また、例えば、１つの場所から見える解像度を指定して画像を作成したい場合には、プリンター１の印刷解像度とユーザから指定の解像度から分けられる画像の数を計算し、その結果に応じた形状のレンズ３２が形成される。さらに、見る角度による色の変化を滑らかにしたい場合、角度によって見える画像の数が多くなるようにレンチキュラーレンズ３１を形成することで対応する。しかし、見える画像を多くすると１つの位置から見た際の画像解像度は低下してしまう。色の変化の滑らかさを優先するか、画像の解像度を優先するかをユーザが選択し、それに応じてレンチキュラーレンズ３１の形状が決定される。
【００８７】
例えば、図１３は、最も上の行に、画素P111、画素P112、画素P113、画素P114、画素P115、画素P121、画素P122、画素P123、画素P124、画素P125、画素P131、画素P132、画素P133、画素P134、および画素P135が左から順にならべられ、上から２番目の行に、画素P211、画素P212、画素P213、画素P214、画素P215、画素P221、画素P222、画素P223、画素P224、画素P225、画素P231、画素P232、画素P233、画素P234、および画素P235が左から順に並べられ、上から３番目の行に、画素P311、画素P312、画素P313、画素P314、画素P315、画素P321、画素P322、画素P323、画素P324、画素P325、画素P331、画素P332、画素P333、画素P334、および画素P335が左から順に並べられた光沢画像に形成されるレンチキュラーレンズ３１の例を示す図である。
【００８８】
ヘッド１６は、レンチキュラーレンズ形成制御部１２３に制御され、視点の角度の順に直線上に並べられた複数の画素である画素P111、画素P112、画素P113、画素P114、画素P115に対して、画素P111、画素P112、画素P113、画素P114、画素P115の並ぶ方向が厚みの変化する向きになる１つのレンズ３２−１が配置されるように、用紙Ｍにレンチキュラーレンズ３１を形成する。ヘッド１６は、レンチキュラーレンズ形成制御部１２３に制御され、視点の角度の順に直線上に並べられた複数の画素である画素P211、画素P212、画素P213、画素P214、画素P215に対して、画素P211、画素P212、画素P213、画素P214、画素P215の並ぶ方向が厚みの変化する向きになる１つのレンズ３２−１が配置されるように、用紙Ｍにレンチキュラーレンズ３１を形成する。ヘッド１６は、レンチキュラーレンズ形成制御部１２３に制御され、視点の角度の順に直線上に並べられた複数の画素である画素P311、画素P312、画素P313、画素P314、画素P315に対して、画素P311、画素P312、画素P313、画素P314、画素P315の並ぶ方向が厚みの変化する向きになる１つのレンズ３２−１が配置されるように、用紙Ｍにレンチキュラーレンズ３１を形成する。
【００８９】
また、ヘッド１６は、レンチキュラーレンズ形成制御部１２３に制御され、視点の角度の順に直線上に並べられた複数の画素である画素P121、画素P122、画素P123、画素P124、画素P125に対して、画素P121、画素P122、画素P123、画素P124、画素P125に直線上に並べられた並ぶ方向が厚みの変化する向きになる１つのレンズ３２−２が配置されるように、用紙Ｍにレンチキュラーレンズ３１を形成する。ヘッド１６は、レンチキュラーレンズ形成制御部１２３に制御され、視点の角度の順に直線上に並べられた複数の画素である画素P221、画素P222、画素P223、画素P224、画素P225に対して、画素P221、画素P222、画素P223、画素P224、画素P225の並ぶ方向が厚みの変化する向きになる１つのレンズ３２−２が配置されるように、用紙Ｍにレンチキュラーレンズ３１を形成する。ヘッド１６は、レンチキュラーレンズ形成制御部１２３に制御され、視点の角度の順に直線上に並べられた複数の画素である画素P321、画素P322、画素P323、画素P324、画素P325に対して、画素P321、画素P322、画素P323、画素P324、画素P325の並ぶ方向が厚みの変化する向きになる１つのレンズ３２−２が配置されるように、用紙Ｍにレンチキュラーレンズ３１を形成する。
【００９０】
さらに、ヘッド１６は、レンチキュラーレンズ形成制御部１２３に制御され、視点の角度の順に直線上に並べられた複数の画素である画素P131、画素P132、画素P133、画素P134、画素P135に対して、画素P131、画素P132、画素P133、画素P134、画素P135の並ぶ方向が厚みの変化する向きになる１つのレンズ３２−３が配置されるように、用紙Ｍにレンチキュラーレンズ３１を形成する。ヘッド１６は、レンチキュラーレンズ形成制御部１２３に制御され、視点の角度の順に直線上に並べられた複数の画素である画素P231、画素P232、画素P233、画素P234、画素P235に対して、画素P231、画素P232、画素P233、画素P234、画素P235の並ぶ方向が厚みの変化する向きになる１つのレンズ３２−３が配置されるように、用紙Ｍにレンチキュラーレンズ３１を形成する。ヘッド１６は、レンチキュラーレンズ形成制御部１２３に制御され、視点の角度の順に直線上に並べられた複数の画素である画素P331、画素P332、画素P333、画素P334、画素P335に対して、画素P331、画素P332、画素P333、画素P334、画素P335の並ぶ方向が厚みの変化する向きになる１つのレンズ３２−３が配置されるように、用紙Ｍにレンチキュラーレンズ３１を形成する。
【００９１】
視点e1からレンチキュラーレンズ３１を通して用紙Ｍを見ると場合、画素P111、画素P211、画素P311、画素P121、画素P221、画素P321、画素P131、画素P231、画素P331が見え、他の画素は見えない。視点e2からレンチキュラーレンズ３１を通して用紙Ｍを見ると場合、画素P112、画素P212、画素P312、画素P122、画素P222、画素P322、画素P132、画素P232、画素P332が見え、他の画素は見えない。視点e3からレンチキュラーレンズ３１を通して用紙Ｍを見ると場合、画素P113、画素P213、画素P313、画素P123、画素P223、画素P323、画素P133、画素P233、画素P333が見え、他の画素は見えない。視点e4からレンチキュラーレンズ３１を通して用紙Ｍを見ると場合、画素P114、画素P214、画素P314、画素P124、画素P224、画素P324、画素P134、画素P234、画素P334が見え、他の画素は見えない。視点e5からレンチキュラーレンズ３１を通して用紙Ｍを見ると場合、画素P115、画素P215、画素P315、画素P125、画素P225、画素P325、画素P135、画素P235、画素P335が見え、他の画素は見えない。
【００９２】
画素P111から画素P331の画素値は、画素P11から画素P33の画素値に０．３であるＬ値（比率）が乗じられて求められ、画素P112から画素P332の画素値は、画素P11から画素P33の画素値に０．６であるＬ値（比率）が乗じられて求められ、画素P113から画素P333の画素値は、画素P11から画素P33の画素値に１．３であるＬ値（比率）が乗じられて求められ、画素P114から画素P334の画素値は、画素P11から画素P33の画素値に０．６であるＬ値（比率）が乗じられて求められ、画素P115から画素P335の画素値は、画素P11から画素P33の画素値に０．３であるＬ値（比率）が乗じられて求められているので、視点e3からは、明るい画像が見え、視点e2または視点e4からは、比較的暗い画像が見え、視点e1または視点e5からは、暗い画像が見えることになる。従って、正面で正反射を起こしているのと同様の視認上の効果を得ることができるようになり、光沢を表現することができる。
【００９３】
図１４は、ステップＳ２０において、ヘッド１６により形成されるレンチキュラーレンズ３１の例を示す図である。図１４（Ａ）は、用紙Ｍの印刷された面を示す正面図であり、図１４（Ｂ）は、断面Ｚにおける用紙Ｍの断面図である。図１４に示されるように、ヘッド１６は、用紙Ｍの印刷された全面であって、光沢領域Ｅｍおよび非光沢領域Ｅｐからなる全面に、レンズ３２−１から３２−Ｌによってなるレンチキュラーレンズ３１を形成する。この場合、非光沢画像整形部１３５は、それぞれ画素を視点数だけ生成し、レンズ３２の厚みの変化する向きに並べるように、非光沢表示領域の画像を整形する。なお、光沢画像の場合と同様に、非光沢画像の画素の画素値のＬ値を若干変化させてもよい。このようにすることで、用紙Ｍの全体の厚さを一定とすることができる。すなわち、厚みがほぼ均一な印刷物を得ることができる。
【００９４】
図１５は、ステップＳ２０において、ヘッド１６により形成されるレンチキュラーレンズ３１の他の例を示す図である。図１５（Ａ）は、用紙Ｍの印刷された面を示す正面図であり、図１５（Ｂ）は、断面Ｚにおける用紙Ｍの断面図である。図１５に示されるように、ヘッド１６は、光沢領域Ｅｍにレンズ３２−１から３２−Ｌが配置され、非光沢領域Ｅｐにレンズ３２と同等の厚みの平面状の樹脂層が配置されるレンチキュラーレンズ３１を形成する。言い換えると、ヘッド１６は、用紙Ｍの領域のうち、光沢画像が記録された領域にレンチキュラーレンズを形成し、残りの領域に平面状の樹脂層を形成する。この場合、非光沢画像整形部１３５は、非光沢表示領域の画像を何ら処理せず、そのまま用いるように、非光沢表示領域の画像を整形する。このようにすることで、用紙Ｍの全体の厚さを一定とすることができる。すなわち、厚みがほぼ均一な印刷物を得ることができる。また、非光沢表示領域の画像の解像度が低下することなく、元の解像度が維持される。
【００９５】
図１６は、ステップＳ２０において、ヘッド１６により形成されるレンチキュラーレンズ３１のさらに他の例を示す図である。図１６（Ａ）は、用紙Ｍの印刷された面を示す正面図であり、図１６（Ｂ）は、断面Ｚにおける用紙Ｍの断面図である。図１６に示されるように、ヘッド１６は、光沢領域Ｅｍにレンズ３２−１から３２−Ｌからなるレンチキュラーレンズ３１を形成し、非光沢領域Ｅｐには何も形成しない。言い換えると、ヘッド１６は、用紙Ｍの領域のうち、光沢画像が記録された領域にレンチキュラーレンズ３１を形成する。この場合、非光沢画像整形部１３５は、非光沢表示領域の画像を何ら処理せず、そのまま用いるように、非光沢表示領域の画像を整形する。このようにすることで、厚みが不均一になってしまうが、レンチキュラーレンズ３１を形成する樹脂の使用量を最小限とすることができる。また、非光沢表示領域の画像の解像度が低下することなく、元の解像度が維持される。
【００９６】
ステップＳ１１において、印刷する画像に光沢表示領域がないと判定された場合、光沢画像を生成する必要はないので、手続はステップＳ２１に進み、画像印刷制御部１２２は、駆動回路５２に指令を供給することで、駆動回路５２に紙送りモーター１３、ヘッド１５、およびステップモーター２１を駆動させて、用紙Ｍに印刷する画像をそのまま印刷（描画）させ、画像の形成の処理は終了する。
【００９７】
このように、プリンター１は、１つの入力画像から複数の色変化画像を生成する色変化画像生成部１３３と、複数の色変化画像を、レンチキュラーレンズが備える複数のレンズが配置される方向に並び替えて、複数の色変化画像から出力画像を生成する光沢画像生成部１３４と、出力画像を被記録媒体に記録するヘッド１５と、出力画像が記録された被記録媒体にレンチキュラーレンズを形成するヘッド１６とを有する。色変化画像は、表示体に対する視点の角度に応じて、入力画像の色を異ならせた画像であり、表示体は、視点の角度に応じて、レンズを介して表示される色変化画像が異なる。
【００９８】
ヘッド１６は、レンチキュラーレンズを形成するために樹脂を被記録媒体に吐出する。
【００９９】
指示された視点数を取得する視点数解像度選択部１４２をさらに設け、複数の色変化画像は、視点数に応じて入力画像の色を異ならせた画像とすることができる。
【０１００】
入力画像の領域のうち、光沢を表現する領域である光沢領域を選択する領域選択部１４１をさらに設け、色変化画像生成部１３３には、光沢領域の画像である光沢領域原画像から複数の色変化画像を生成させることができる。
【０１０１】
ヘッド１６は、被記録媒体の領域のうち、出力画像が記録される領域にレンチキュラーレンズを形成し、残りの領域に平面状の樹脂層を形成する。
【０１０２】
ヘッド１６は、被記録媒体の領域のうち、出力画像が記録される領域および出力画像が記録されない領域に、レンチキュラーレンズを形成する。
【０１０３】
ステップＳ１５において、１つの入力画像から複数の色変化画像が生成され、ステップＳ１６において、複数の色変化画像を、レンチキュラーレンズが備える複数のレンズが配置される方向に並び替えて、複数の色変化画像から出力画像が生成され、ステップＳ１９において、出力画像が被記録媒体に記録され、ステップＳ２０において、出力画像が記録された被記録媒体にレンチキュラーレンズが形成される。色変化画像は、表示体に対する視点の角度に応じて、入力画像の色を異ならせた画像であり、表示体は、視点の角度に応じて、レンズを介して表示される色変化画像が異なる。
【０１０４】
制御部５１が実行するプログラムは、１つの入力画像から複数の色変化画像を生成する色変化画像生成部１３３と、複数の色変化画像を、レンチキュラーレンズが備える複数のレンズが配置される方向に並び替えて、複数の色変化画像から出力画像を生成する光沢画像生成部１３４と、出力画像の被記録媒体への記録を制御する画像印刷制御部１２２と、出力画像が記録された被記録媒体へのレンチキュラーレンズの形成を制御するレンチキュラーレンズ形成制御部１２３とをコンピュータに実現させる。色変化画像は、表示体に対する視点の角度に応じて、入力画像の色を異ならせた画像であり、表示体は、視点の角度に応じて、レンズを介して表示される色変化画像が異なる。
【０１０５】
このように、メタリックインクに起因して彩度が低下してしまうことがなく、自然な色合いで光沢が表現できる。すなわち、印刷物で金属表面のような光沢が表現できる。また、インクの取り扱いの手間が増えることがなく、画像を見る位置や距離も自由で、簡単に光沢を表現できる。メタリックインクに起因する光沢画像と非光沢画像との彩度の違いを小さくすることができる。
【０１０６】
なお、レンチキュラーレンズが予め設けられたシートを用紙Ｍに貼り付けるようにしてもよい。また、レンチキュラーレンズを形成して、レンチキュラーレンズの裏側に光沢画像を印刷するようにしてもよい。さらに、光沢表示領域を、光沢の強度によって複数に分けて、それぞれに光沢画像を生成するようにしてもよい。
【０１０７】
さらに、特許請求の範囲の画像処理装置は、印刷装置、画像処理装置、画像形成装置のいずれでもよいし、印刷装置の一例としてのプリンタ−１は、シリアルプリンタ、ラインプリンタ、ページプリンタのいずれでもよい。また、ドットプリンタでもインクジェットプリンタのいずれでもよい。また、特許請求の範囲の画像処理装置は、コンピュータやデジタルカメラなどであってもよい。
【０１０８】
上述した一連の処理は、ハードウェアにより実行することもできるし、ソフトウエアにより実行することもできる。一連の処理をソフトウエアにより実行する場合には、そのソフトウエアを構成するプログラムが、専用のハードウェアに組み込まれているコンピュータ、または、各種のプログラムをインストールすることで、各種の機能を実行することが可能な、例えば汎用のパーソナルコンピュータなどに、プログラム記録媒体からインストールされる。
【０１０９】
なお、コンピュータが実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【０１１０】
また、本発明の実施の形態は、上述した実施の形態に限定されるものではなく、本発明の要旨を逸脱しない範囲において種々の変更が可能である。
【符号の説明】
【０１１１】
１…プリンター、１１…ハウジング、１２…紙送りローラー、１３…紙送りモーター、１４…キャリッジ、１５…ヘッド、１６…ヘッド、１７…ガイド部材、１８…タイミングベルト、１９…駆動プーリー、２０…遊転プーリー、２１…ステップモーター、３１…レンチキュラーレンズ、３２、３２−１〜３２−Ｌ…レンズ、５１…制御部、５２…駆動回路、１０１…CPU、１０２…ROM、１０３…RAM、１０８…記憶部、１０９…通信部、１１１…リムーバブルメディア、１２１…画像処理部、１２２…画像印刷制御部、１２３…レンチキュラーレンズ形成制御部、１３１…選択部、１３２…角度／色変化データ格納部、１３３…色変化画像生成部、１３４…光沢画像生成部、１３５…非光沢画像整形部、１３６…光沢画像配置部、１４１…領域選択部、１４２…視点数解像度選択部、１４３…角度／色変化データ選択部
【図１】
2013134410.tif 000003
【図２】
2013134410.tif 000004
【図３】
2013134410.tif 000005
【図４】
2013134410.tif 000006
【図５】
2013134410.tif 000007
【図６】
2013134410.tif 000008
【図７】
2013134410.tif 000009
【図８】
2013134410.tif 000010
【図９】
2013134410.tif 000011
【図１０】
2013134410.tif 000012
【図１１】
2013134410.tif 000013
【図１２】
2013134410.tif 000014
【図１３】
2013134410.tif 000015
【図１４】
2013134410.tif 000016
【図１５】
2013134410.tif 000017
【図１６】
2013134410.tif 000018